(57)【特許請求の範囲】
【請求項１】
スチームクリーナーの先端にホース部を介して取付けられ、
前記スチームクリーナーで発生するスチームを噴出しながら被清掃面を清掃するスチームクリーナーヘッドであって、
前記スチームクリーナーヘッドは、底部が開口し、かつ、内箱と、前記内箱を取り囲む外箱との二重箱構造を有すると共に、
前記内箱と前記外箱との間であって、前記スチームクリーナーヘッドの移動方向からみて左右には仕切り壁が左右１対備えられており、
前記内箱は、スチームを噴出するスチームルームを有し、
前記スチームルームには床拭きパッドが備えられており、
前記内箱と前記外箱との間の空隙であって、前記スチームクリーナーヘッドの移動方向からみて左右の空隙となる位置には、
同軸で回転する歯車を側部に有する走行車輪と、
前記走行車輪の前記歯車と噛み合う、前記走行車輪より小径で、かつ、トルクリミッター付きの歯車とが、前記外箱と前記仕切り壁との間に固定される形で、それぞれ併設配置されており、かつ、
前記左右１対の仕切り壁には、前記走行車輪及び前記トルクリミッター付きの歯車の配置位置とは反対側に、前記仕切り壁に沿って延びる薄片がそれぞれ左右１対備えられており、
前記薄片は、前記仕切り壁を介して、前記トルクリミッター付きの歯車の中心軸だけに固定されていて、前記トルクリミッター付きの歯車の回転により前記中心軸を支点とするシーソー状の運動を可能とされており、かつ、
左右１対の前記薄片の両端部は、それぞれ
前記内箱と前記外箱との空隙であって、前記スチームクリーナーヘッドの移動方向からみて前側の空隙及び後ろ側の空隙となっている位置まで延設され、さらに、
当該延設部から前側の空隙及び後ろ側の空隙内を、前記薄片が前記仕切り壁に沿って延びている方向に対してそれぞれ直角方向に延びて、これにより前側のスチーム掻き取り用部材及び後側のスチーム掻き取り用部材を形成し、
前記前側のスチーム掻き取り用部材及び後ろ側のスチーム掻き取り用部材のそれぞれの下
側には、スキージがそれぞれ設けられていて、
前記スキージは、前記スチームクリーナーヘッドの前方向への押し時には、前記トルクリミッター付きの歯車の中心軸を支点として、前記薄片から延設され、後ろ側の空隙内に備えられている後側のスチーム掻き取り用部材が下降し、これにつれて後ろ側のスチーム掻き取り用部材の下側に設けられている後ろ側のスキージが下降し、前記スチームクリーナーヘッドの後ろ方向への引張り時には、前記トルクリミッター付きの歯車の中心軸を支点として、前記薄片から延設され、前側の空隙Ｃ内に備えられている前側のスチーム掻き取り用部材が下降し、これにつれて前側のスチーム掻き取り用部材の下側に設けられている前側のスキージが下降するようにされていると共に、下降したときに、被清掃面に接触する長さのものとされており、さらに、
前記走行車輪及び前記トルクリミッター付きの歯車の配置位置の空間と、前側の空隙及び後ろ側の空隙と、に連通し、かつ、前記スチームクリーナーに備えられる吸引手段に前記ホース部を介して連結される吸引口を有する、
ことを特徴とするスチームクリーナーヘッド。
【請求項２】
前記同軸で回転する歯車を側部に有する走行車輪は、前記左右の空隙となる位置に、それぞれ２輪ずつ配置されて、前側走行車輪と後ろ側走行車輪とからなる４輪を形成しており、かつ、前記側走行車輪と前記後ろ側走行車輪との間に、前記トルクリミッター付きの歯車が、前記前側走行車輪と前記後ろ側走行車輪それぞれに備えられている歯車と噛み合うように配置されている、請求項１に記載のスチームクリーナーヘッド。
【請求項３】
前記スキージが、前側のスチーム掻き取り用部材及び後ろ側のスチーム掻き取り用部材のそれぞれ下側に、間隔をおいてそれぞれ複数列配置されていると共に、スキージの各列の隙間から吸引するようにされている、請求項１又は２に記載のスチームクリーナーヘッド。
【発明の詳細な説明】
【技術分野】
【０００１】
本発明は、スチームを噴出しながら被清掃面（床面）を清掃した際に、被清掃面（床面）を湿らせた（濡らした）ままとしておくことがなく、噴出させた後に被清掃面（床面）に水（水滴）となって残留するスチーム（蒸気）を集め吸引して回収し、面倒な空拭き作業を無くすことのできるスチームクリーナーヘッドに関する。
【背景技術】
【０００２】
フローリングの普及等に伴い、スチームを噴出しながら被清掃面である床面を清掃するスチームクリーナー（スチーム掃除機或いはスチーム噴射掃除機）が普及し始めている。
【０００３】
しかしながら、従来のスチームクリーナーでは、スチームを噴出しながら被清掃面（床面）を清掃した際に、被清掃面（床面）に水（水滴）となってスチーム（蒸気）が残留し、被清掃面（床面）が湿った（濡れた）ままとなってしまい、空拭き作業を行わなければならないという問題があった。
【０００４】
このため、前方および後方の掻取り舌片を有する、床掃除機用のクリーニングヘッドが提案されている（特許文献１）。
【０００５】
しかしながら、この発明では、前方の掻取り舌片６２の先端のゴム舌片６３と、後方の掻取り舌片６４の先端のゴム舌片６５との上下動作を、単純にレバー構造により決めるため、床面に対するクリーニングシート４４と、ゴム舌片６３、ゴム舌片６５の位置関係に力関係が働き、安定せず、床面に対する並行動作の保証が難しいという問題がある。
また、ゴム舌片６３、ゴム舌片６５の消耗、材料の劣化により、床面圧力に差が生じるという問題がある。
さらに、この発明では、ゴム舌片６３、ゴム舌片６５が、床面に作用する圧力をうまくコントロールすることができないという問題もある。おそらく、床面との摩擦が大きく、スムーズにスライドさせることができないと考えられる。
また、この発明では、床掃除機の持ち手部を持って前後させたときの特に後退時に、クリーニングヘッドの支持部分１２は、目的の方向に動かない可能性が高く、その結果、床掃除機の持ち手部の角度を任意に下げないと、前側のゴム舌片６３がうまく下がらないおそれがある。
従って、この発明は、必ずしも満足し得るものとは言い難いものであった。
【先行技術文献】
【特許文献】
【０００６】
【特許文献１】特表２００３−５２５０７９号公報
【発明の概要】
【発明が解決しようとする課題】
【０００７】
本発明は、上記従来の問題点を解消したスチームクリーナーヘッドを提供することを目的とするものである。
即ち、本発明は、噴出させた後に被清掃面（床面）に水（水滴）となって残留するスチーム（蒸気）を効率よく集め吸引して回収し、面倒な空拭き作業を無くすことのできるスチームクリーナーヘッドを提供することを目的とするものである。
【課題を解決するための手段】
【０００８】
本発明は、以下の（１）〜（３）に関するものである。
（１）スチームクリーナーの先端にホース部を介して取付けられ、
前記スチームクリーナーで発生するスチームを噴出（放出）しながら被清掃面（床面）を清掃するスチームクリーナーヘッドであって、
前記スチームクリーナーヘッドは、底部が開口し、かつ、内箱と、前記内箱を取り囲む外箱との二重箱構造を有すると共に、
前記内箱と前記外箱との間であって、前記スチームクリーナーヘッドの移動方向からみて左右には仕切り壁が左右１対備えられており、
前記内箱は、スチームを噴出（放出）するスチームルームを有し、
前記スチームルームには床拭きパッドが備えられており、
前記内箱と前記外箱との間の空隙であって、前記スチームクリーナーヘッドの移動方向からみて左右の空隙となる位置には、
同軸で回転する歯車を側部に有する走行車輪と、
前記走行車輪の前記歯車と噛み合う、前記走行車輪より小径で、かつ、トルクリミッター付きの歯車とが、前記外箱と前記仕切り壁との間に固定される形で、それぞれ併設配置されており、かつ、
前記左右１対の仕切り壁には、前記走行車輪及び前記トルクリミッター付きの歯車の配置位置とは反対側に、前記仕切り壁に沿って延びる薄片がそれぞれ左右１対備えられており、
前記薄片は、前記仕切り壁を介して、前記トルクリミッター付きの歯車の中心軸だけに固定されていて、前記トルクリミッター付きの歯車の回転により前記中心軸を支点とするシーソー状の運動を可能とされており、かつ、
左右１対の前記薄片の両端部は、それぞれ
前記内箱と前記外箱との空隙であって、前記スチームクリーナーヘッドの移動方向からみて前側の空隙及び後ろ側の空隙となっている位置まで延設され、さらに、
当該延設部から前側の空隙及び後ろ側の空隙内を、前記薄片が前記仕切り壁に沿って延びている方向に対してそれぞれ直角方向に延びて、これにより前側のスチーム掻き取り用部材及び後側のスチーム掻き取り用部材を形成し、
前記前側のスチーム掻き取り用部材及び後ろ側のスチーム掻き取り用部材のそれぞれの下側には、スキージがそれぞれ設けられていて、
前記スキージは、前記スチームクリーナーヘッドの前方向への押し時には、前記トルクリミッター付きの歯車の中心軸を支点として、前記薄片から延設され、後ろ側の空隙内に備えられている後側のスチーム掻き取り用部材が下降し、これにつれて後ろ側のスチーム掻き取り用部材の下側に設けられている後ろ側のスキージが下降し、前記スチームクリーナーヘッドの後ろ方向への引張り時には、前記トルクリミッター付きの歯車の中心軸を支点として、前記薄片から延設され、前側の空隙Ｃ内に備えられている前側のスチーム掻き取り用部材が下降し、これにつれて前側のスチーム掻き取り用部材の下側に設けられている前側のスキージが下降するようにされていると共に、下降したときに、被清掃面（床面）に接触する長さのものとされており、さらに、
前記走行車輪及び前記トルクリミッター付きの歯車の配置位置の空間と、前側の空隙及び後ろ側の空隙と、に連通し、かつ、前記スチームクリーナーに備えられる吸引手段に前記ホース部を介して連結される吸引口を有する、
ことを特徴とするスチームクリーナーヘッドに関する。
（２）前記同軸で回転する歯車を側部に有する走行車輪は、前記左右の空隙となる位置に、それぞれ２輪ずつ配置されて、前側走行車輪と後ろ側走行車輪とからなる４輪を形成しており、かつ、前記前側走行車輪と前記後ろ側走行車輪との間に、前記トルクリミッター付きの歯車が、前記前側走行車輪と前記後ろ側走行車輪それぞれに備えられている歯車と噛み合うように配置されている、前記（１）に記載のスチームクリーナーヘッドに関する。
（３）前記スキージが、前側のスチーム掻き取り用部材及び後ろ側のスチーム掻き取り用部材のそれぞれ下側に、間隔をおいてそれぞれ複数列配置されていると共に、スキージの各列の隙間から吸引するようにされている、前記（１）又は（２）に記載のスチームクリーナーヘッドに関する。
【発明の効果】
【０００９】
本発明に係るスチームクリーナーヘッドによれば、噴出させられた後に被清掃面（床面）に水（水滴）となって残留するスチーム（蒸気）を、スチームクリーナーヘッドの清掃時の押し引きの際に、交互に下降するスキージにより、効率よく集め吸引して回収し、被清掃面（床面）を乾いた状態で仕上げることができる。このため、面倒な空拭き作業を無くすことができる。
即ち、本発明に係るスチームクリーナーヘッドによれば、被清掃面（床面）にスチーム（蒸気）が水（水滴）となって残留し、被清掃面（床面）が湿った（濡れた）ままとなってしまうことがなく、被清掃面（床面）を乾いた状態で仕上げることができることから、空拭き作業を行わなければならないという面倒を解消することができる。
【００１０】
また、本発明に係るスチームクリーナーヘッドによれば、走行車輪やスキージに過負荷がかかったときには、トルクリミッターにより歯車は空回りすることになることから、車輪やスキージは、常に一定範囲の圧力で被清掃面（床面）に押し付けられることになる。
【図面の簡単な説明】
【００１１】
【図１】本発明に係るスチームクリーナーヘッドの一態様を示す斜視説明図である。
【図２】図１を底面側からみた斜視説明図である。
【図３】図１の平面図である。
【図４】図１の底面図である。
【図５】図１の側面図である。
【図６】図１のＡ−Ａ線断面図である。
【図７】図１のＢ−Ｂ線断面図である。
【図８】走行車輪と、トルクリミッター付きの歯車と、仕切り壁に沿って延びる薄片と、スキージと、の位置関係を示す説明図である。
【図９】スチームクリーナーヘッドの前方向への押し時に、トルクリミッター付きの歯車の中心軸を支点として、後ろ側のスチーム掻き取り用部材の下側に設けられている手前側のスキージが下降する様子を示す説明図である。
【図１０】スチームクリーナーヘッドの後ろ方向への引張り時に、トルクリミッター付きの歯車の中心軸を支点として、前側のスチーム掻き取り用部材の下側に設けられている奥側のスキージが下降する様子を示す説明図である。
【図１１】スキージが、前側のスチーム掻き取り用部材及び後ろ側のスチーム掻き取り用部材のそれぞれ下側に、間隔をおいて複数列配置されている様子を示す一部拡大説明図である。
【図１２】本発明に係るスチームクリーナーヘッドを取り付けたスチームクリーナーを示す側面図である。
【発明を実施するための形態】
【００１２】
本発明はスチームクリーナーヘッドに関し、
スチームを噴出（放出）しながら被清掃面（床面）を清掃するスチームクリーナーの先端に取り付けられるスチームクリーナーヘッドであって、
前記スチームクリーナーヘッドは、底部が開口し、かつ、内箱と、前記内箱を取り囲む外箱との二重箱構造を有すると共に、
前記内箱と前記外箱との間であって、前記スチームクリーナーヘッドの移動方向からみて左右には仕切り壁が左右１対備えられており、
前記内箱は、スチームを噴出（放出）するスチームルームを有し、
前記スチームルームには床拭きパッドが備えられており、
前記内箱と前記外箱との空隙であって、前記スチームクリーナーヘッドの移動方向からみて左右の空隙となる位置には、
同軸で回転する歯車を側部に有する走行車輪と、
前記走行車輪の前記歯車と噛み合う、前記走行車輪より小径で、かつ、トルクリミッター付きの歯車とが、前記外箱と前記仕切り壁との間に固定される形で、それぞれ併設配置されており、かつ、
前記左右１対の仕切り壁には、前記走行車輪及び前記トルクリミッター付きの歯車の配置位置とは反対側に、前記仕切り壁に沿って延びる薄片がそれぞれ左右１対備えられており、
前記薄片は、前記仕切り壁を介して、前記トルクリミッター付きの歯車の中心軸だけに固定されていて、前記トルクリミッター付きの歯車の回転により前記中心軸を支点とするシーソー状の運動を可能とされており、かつ、
左右１対の前記薄片の両端部は、それぞれ
前記内箱と前記外箱との空隙であって、前記スチームクリーナーヘッドの移動方向からみて前側の空隙及び後ろ側の空隙となっている位置まで延設され、さらに、
当該延設部から前側の空隙及び後ろ側の空隙内をそれぞれ直角方向に延びて、これにより前側のスチーム掻き取り用部材及び後ろ側のスチーム掻き取り用部材を形成し、
前記前側のスチーム掻き取り用部材及び後ろ側のスチーム掻き取り用部材のそれぞれの下側には、スキージがそれぞれ設けられていて、
前記スキージは、前記スチームクリーナーヘッドの前方向への押し時には、前記トルクリミッター付きの歯車の中心軸を支点として、前記薄片から延設され、後ろ側の空隙内に備えられている後ろ側のスチーム掻き取り用部材が下降し、これにつれて後ろ側のスチーム掻き取り用部材の下側に設けられている後側のスキージが下降し、前記スチームクリーナーヘッドの後ろ方向への引張り時には、前記トルクリミッター付きの歯車の中心軸を支点として、前記薄片から延設され、前側の空隙Ｃ内に備えられている前側のスチーム掻き取り用部材が下降し、これにつれて前側のスチーム掻き取り用部材の下側に設けられている前側のスキージが下降するようにされていると共に、下降したときに、被清掃面（床面）に接触する長さのものとされており、さらに、
前記走行車輪及び前記トルクリミッター付きの歯車の配置位置の空間と、前側の空隙及び後ろ側の空隙と、に連通する吸引口を有する、
ことを特徴とするものである。
【００１３】
以下、本発明に係るスチームクリーナーヘッドの一態様（形態例）を図面に基づいて詳細に説明する。
図中、符号Ａが、スチームクリーナーヘッドである。スチームクリーナーヘッドＡは、通常、樹脂製のものとされるが、これに限定されるものではない。
本発明に係るスチームクリーナーヘッドＡは、図１２に示すように、スチームを噴出（放出）しながら被清掃面（床面）を清掃するスチームクリーナーＢの先端に取り付けられるものである
スチームクリーナーＢとしては、スチームを噴出（放出）しながら被清掃面（床面）を清掃することのできるものであれば、既知のスチームクリーナーの構成を採用することができ、市販されているものなど、特に制限されない。
【００１４】
スチームクリーナーヘッドＡは、図２に示すように、底部が開口しており、かつ、内箱（中箱）１と、内箱１を取り囲む外箱２との二重箱構造を有している。
【００１５】
内箱１と外箱２との間であって、スチームクリーナーヘッドＡの移動方向からみて左右には、スチームクリーナーヘッドＡの上部から、底面方向へ向かって、内箱１と外箱２とを仕切る、仕切り壁３が左右１対備えられている。
図２では、この仕切り壁３の下端に、弾性体３１が備えられたものを示しているが、これに限定されるものではなく、この弾性体３１は省略することもできる。
【００１６】
内箱１は、スチームを噴出（放出）するスチームルーム４を有している。
スチームルーム４は、スチームクリーナーＢから供給されるスチームを、スチーム入口５から導入し、これを噴出（放出）するエリアである。
このスチームルーム４には、床拭きパッド６が備えられている。
床拭きパッド６は、被清掃面（床面）のゴミを拭き取ることができ、しかもスチーム（蒸気）を通す構造のものとされていればよい。
なお、床拭きパッド６は、ダンパーにより、一定圧力で被清掃面（床面）に押し付けるようにしておくとよい。この床拭きパッド６は、スチームルーム４のほぼ全面に備えるようにしてもよい。
【００１７】
スチーム入口５から導入され、スチームルーム４に噴出（放出）されたスチーム（蒸気）は、床拭きパッド６を通過し、被清掃面（床面）に、スチームによる高温と水分を与え、拭き掃除を行う。
被清掃面（床面）に噴出（放出）され、被清掃面（床面）を清掃した後、スチーム（蒸気）は結露して水（水滴）となり、被清掃面（床面）に水（水滴）として残ることになる。
本発明は、このように被清掃面（床面）に最終的に水（水滴）となって残るスチーム（蒸気）を集め吸引して回収し、もって面倒な空拭き作業を無くすために、以下に述べる如き工夫を施している。
【００１８】
即ち、内箱１と外箱２との空隙であって、スチームクリーナーヘッドＡの移動方向からみて左右の空隙となる位置には、同軸で回転する歯車７１を側部に有する走行車輪７と、この走行車輪７の歯車７１と噛み合う、トルクリミッター８１付きの歯車８とが、併設配置されている。トルクリミッター８１付きの歯車８は、走行車輪７より小径のものとされていて、直接、被清掃面（床面）と接触することのないようになっている。
【００１９】
トルクリミッター８１は、前方向と後方向の両方向について過負荷がかかったときに接続（動力伝達）を遮断することのできる両方向トルクリミッターである。これにより、後述するスキージ１２が被清掃面（床面）に作用する圧力を、一定に保つことができる。
また、このトルクリミッター８１の連結を解く機構を採用し、圧力の調整を行うこともできる。これにより、後述するスキージ１２が被清掃面（床面）に作用する圧力を、さらに調整することもでき、スキージ１２の形状、材質、被清掃面（床面）の状態変化などの変化に対応することができる。
ここで歯車８は、トルクリミッター８１付きのものであるため、過負荷がかかったときに接続（動力伝達）を遮断することができる。従って、走行車輪７に過負荷がかかったときには、歯車８は空回りすることになる。
【００２０】
なお、図１〜１０に示す本形態例では、走行車輪７と歯車８とは、歯車同士の噛み合いとしているが、タイミングベルトを使用したり、或いは、車輪同士の接触面の摩擦により動力を伝達する摩擦車を使用したりすることもできる。
【００２１】
本発明に係るスチームクリーナーヘッドＡは、走行車輪７を採用していることから、スチームクリーナーヘッドが床面に対し平行動作し、スチームクリーナーヘッドＡとスキージ１２との位置関係（高さ）を一定に保つことができる。従って、スチームクリーナーヘッドをスムーズにスライドさせることができる。
なお、スチームクリーナーヘッドＡを床面に対し平行動作させるために、前記したようにダンパーを設け、ダンパーにより床拭きパッド６を被清掃面（床面）に押し付けるようにしてもよいし、或いは、走行車輪７に関して、月面車両のような、障害物を乗り越えられるような弾力性のある構造を採用してもよい。
【００２２】
また、図１〜１０に示す本形態例では、走行車輪７は、合計４輪備えられたものを示しているが、安定して走行できるものであれば、３輪でもよいし、或いは５輪以上のものであってもよい。３輪のように奇数輪とする場合には、例えば、外箱２の下部周辺などに、走行車輪を１輪以上設けることができる。
即ち、図２などでは、同軸で回転する歯車７１を側部に有する走行車輪７は、左右の空隙となる位置に、それぞれ２輪ずつ配置されて、前側走行車輪と後ろ側走行車輪とからなる４輪を形成し、前側走行車輪と後ろ側走行車輪との間に、トルクリミッター８１付きの歯車８が、前側走行車輪と後ろ側走行車輪それぞれに備えられている歯車（各歯車７１）と噛み合うように配置されているもの、が示されている。
走行車輪７と、トルクリミッター８１付きの歯車８とは、両者が、外箱１と仕切り壁３との間に噛み合い状態にて固定される形で、併設配置されている。
なお、図１、２中、符号１００は、外箱１に設けられた、走行車輪７の支持留め部であり、符号１０１は、外箱１に設けられた、トルクリミッター８１付きの歯車８の支持留め部である。
【００２３】
図１〜１０に示す本形態例では、左右１対の仕切り壁３には、走行車輪７及びトルクリミッター８１付きの歯車８の配置位置とは反対側に（即ち、内方側に）、前記仕切り壁３に沿って延びる薄片９が、それぞれ左右１対備えられている。
この薄片９は、金属製のものであってもよいし、樹脂製のものであってもよい。
この薄片９は、仕切り壁３を介して、トルクリミッター８１付きの歯車８の中心軸だけに固定されていて、走行車輪７の中心軸には固定されていない。そのため、薄片９は、トルクリミッター８１付きの歯車８の回転により、歯車８の中心軸を支点とするシーソー状の運動を可能とされている。
【００２４】
被清掃面（床面）を清掃するため、スチームクリーナーヘッドＡを前後方向に押し引きすると、これに伴い、走行車輪７（前側走行車輪と後ろ側走行車輪）が、被清掃面（床面）との摩擦にて、押し引きする方向と同じ方向に回転する。
スチームクリーナーヘッドＡを「前方へ押した場合」には、走行車輪７が前回りに回転し、これに同軸で備えられ回転する歯車７１が一緒に前回りに回転する。
走行車輪７に同軸で備えられ回転する歯車７１が、前回りに回転すると、これに噛み合っている、トルクリミッター８１付きの歯車８が、走行車輪７及びこの側部に備えられている歯車７１の回転と連動する形で、歯車７１の回転方向とは反対の方向に、つまり後ろ回りに回転することになる。
すると、トルクリミッター８１付きの歯車８の中心軸に固定されている薄片９は、トルクリミッター８１付きの歯車８の回転方向と同じ方向、つまり後ろ回りに回動（運動）することになる。
このようにトルクリミッター８１付きの歯車８の中心軸に固定されている薄片９は、押し引きする方向とは反対周りに回動（運動）することになる。
【００２５】
スチームクリーナーヘッドＡを「後方へ引いた場合」は、「前方へ押した場合」の動きの逆になる。
従って、薄片９は、トルクリミッター８１付きの歯車８の回転により、歯車８の中心軸を支点とするシーソー状の運動が可能となっている。
【００２６】
左右１対の薄片９の両端部は、それぞれ内箱１と外箱２との間の空隙であって、スチームクリーナーヘッドＡの移動方向からみて前側の空隙Ｃ及び後ろ側の空隙Ｄとなっている位置まで延設され、さらに、当該延設部から前側の空隙Ｃ及び後ろ側の空隙Ｄ内をそれぞれ直角方向に延びて、これにより前側のスチーム掻き取り用部材１０及び後ろ側のスチーム掻き取り用部材１１を形成している。
この結果、左右１対の薄片９と、前側のスチーム掻き取り用部材１０及び後ろ側のスチーム掻き取り用部材１１とによって、図８に示すように、内箱１と外箱２との間の空隙を１周する如き形状の構造体が形成されている。
【００２７】
前側のスチーム掻き取り用部材１０及び後ろ側のスチーム掻き取り用部材１１は、左右１対の薄片９と一体化したものであってもよいが、図では、左右１対の薄片９とは別の部材を左右１対の薄片９に連結させたものを示している。前側のスチーム掻き取り用部材１０及び後ろ側のスチーム掻き取り用部材１１は、金属製のものであってもよいし、樹脂製のものであってもよい。
【００２８】
なお、「内箱１と外箱２との間の空隙を‘１周する如き’形状の構造体」としたのは、前側のスチーム掻き取り用部材１０及び後ろ側のスチーム掻き取り用部材１１のそれぞれの両端は、前側の空隙Ｃ及び後ろ側の空隙Ｄのほぼ両端まで延びていても差し支えないからである。本形態例では、図２や図８などに示されるように、前側のスチーム掻き取り用部材１０及び後ろ側のスチーム掻き取り用部材１１のそれぞれの両端が、前側の空隙Ｃ及び後ろ側の空隙Ｄのほぼ両端まで延びているものを示している。
【００２９】
前記前側のスチーム掻き取り用部材１０及び後ろ側のスチーム掻き取り用部材１１のそれぞれの下側には、スキージ１２がそれぞれ設けられている。
ここでスキージとは、（ウレタン）ゴムなどのような弾性素材からなる、水分をかき集めるための掻き取り用舌片を意味している。
【００３０】
図１〜１０に示す本形態例においては、前記前側のスチーム掻き取り用部材１０及び後ろ側のスチーム掻き取り用部材１１のそれぞれの下側に、スキージ１２を１対ずつ設け、このスキージ１２により水（水滴）を集めるようにしたものを示しているが、より水（水滴）をかき集めるようにするために、スキージ１２が、前側のスチーム掻き取り用部材１０及び後ろ側のスチーム掻き取り用部材１１のそれぞれ下側に、間隔をおいてそれぞれ複数列配置するようにすると共に、スキージ１２の各列の隙間から吸引するようにすることができる。
【００３１】
図１１では、スキージ１２を、間隔をおいて３列配置し、スキージ１２の各列の隙間から吸引するようにした別の形態例を示している。
具体的には、前側のスチーム掻き取り用部材１０及び後ろ側のスチーム掻き取り用部材１１のそれぞれ内部に、スキージ１２の各列の隙間に連通する吸引孔１３を設けておき、この吸引孔１３を通じて、スキージ１２の各列の隙間から吸引するようにする。符号１５は、かき集められた水（水滴）を示しており、かき集められた水（水滴）１５は、スキージ１２の各列の隙間に連通する吸引孔１３から吸引されることになる。このとき、かき集められた水（水滴）１５が、スキージ１２の左右方向に馴染むことにより、真空状態となり、より小さな吸引力で吸引することが可能となる。
【００３２】
図１〜１０に示す本形態例では、スチームクリーナーヘッドＡの前方向への押し時には、トルクリミッター８１付きの歯車８の中心軸を支点として、薄片９から延設され、後ろ側の空隙Ｄ内に備えられている後ろ側のスチーム掻き取り用部材１１が下降し、これにつれて後ろ側のスチーム掻き取り用部材１１の下側に設けられている後ろ側（即ち、手前側）のスキージ１２が下降するようにされている。
ここでスキージ１２は、下降したときに、被清掃面（床面）に接触する長さのものとされている。
この結果、被清掃面（床面）に噴出（放出）され、被清掃面（床面）を清掃した後、結露して被清掃面（床面）に残る水を、スキージ１２により、かき集めることができる。
【００３３】
一方、スチームクリーナーヘッドＡの後ろ方向への引き時には、トルクリミッター８１付きの歯車８の中心軸を支点として、薄片９から延設され、前側の空隙Ｃ内に備えられている前側のスチーム掻き取り用部材１０が下降し、これにつれて前側のスチーム掻き取り用部材１０の下側に設けられている前側（即ち、奥側）のスキージ１２が下降するようにされており、下降したときに、被清掃面（床面）に接触することになる。
この結果、スチームクリーナーヘッドＡの前方向への押し時と同様に、スチームクリーナーヘッドＡの後ろ方向への引き時にも、被清掃面（床面）に噴出（放出）され、被清掃面（床面）を清掃した後、結露して被清掃面（床面）に残る水を、スキージ１２により、かき集めることができる。
【００３４】
なお、ここで走行車輪７やスキージ１２に過負荷がかかった場合、その過負荷は、掻き取り用部材１０又は１１−左右１対の薄片９−歯車８−トルクリミッター８１と順に伝わり、このトルクリミッター８１にて接続（動力伝達）を遮断することができる。従って、走行車輪７やスキージ１２に過負荷がかかったときには、トルクリミッター８１により歯車８は空回りすることになる。
このため、車輪７やスキージ１２は、常に一定範囲の圧力で被清掃面（床面）に押し付けられることになる。
【００３５】
そして、スチームクリーナーヘッドＡは、走行車輪７及びトルクリミッター８１付きの歯車８の配置位置の空間と、前側の空隙Ｃ及び後ろ側の空隙Ｄと、に連通する吸引口１４を有している。
このように吸引口１４は、走行車輪７及びトルクリミッター８１付きの歯車８の配置位置の空間と、前側の空隙Ｃ及び後ろ側の空隙Ｄと、に連通しており、結局、内箱１と外箱２との間の空隙（空間）全てに連通している。
但し、必要に応じて、吸引にかかる過大なパワーを抑える見地からは、吸引口１４は、走行車輪６及びトルクリミッター８１付きの歯車８の配置位置の空間には連通させず、前側の空隙Ｃ及び後ろ側の空隙Ｄのみに連通するようにしておいてもよい。これにより、少なくともスキージ１２により、かき集められた水を吸引して回収することができ、吸引にかかる過大なパワーを抑えつつ、面倒な空拭き作業を無くすことができる。
このような工夫により、本発明に係るスチームクリーナーヘッドを取り付けたスチームクリーナーの電気容量（定格消費電力）を、家庭用電気掃除機に求められる最大１５００Ｗ以下とすることができる。
なお、図１〜１０に示す本形態例では、吸引口１４とスチーム入口５とは別々に設けているが、この吸引口１４とスチーム入口５と、を同軸にして１箇所に設けておくこともできる。
【００３６】
この吸引口１４は、別途、スチームクリーナーＢに備えられる吸引手段に連結するようにされており、必要に応じて別途設けられる貯水部に貯められる。
このため、スチームクリーナーＢに備えられる吸引手段を稼動させることにより、スキージ１２により、かき集められた水（水滴）を、この吸引口１４を通じて被清掃面（床面）から吸引して効率よく回収することができ、これにより被清掃面（床面）を乾いた状態で仕上げることができる。
【００３７】
以上の構成による本発明に係るスチームクリーナーヘッドによれば、これを先端に取り付けたスチームクリーナーを使用して、スチームを噴出しながら被清掃面（床面）を清掃すると、被清掃面（床面）を水（水滴）で湿らせた（濡らした）ままとしておくことがなく、噴出させた後に被清掃面（床面）に水（水滴）となって残留するスチーム（蒸気）を集め吸引して回収することができ、面倒な空拭き作業を無くすことができる。
【００３８】
本発明に係るスチームクリーナーヘッドとしては、本発明の特徴を損なわない限り、必要に応じて、既知のスチームクリーナーヘッドの構成を適宜採用することができる。
また、図面は、いずれも本発明に係るスチームクリーナーヘッドを示す概略図である。従って、スチームクリーナーヘッドとしての製品化に際しては、必要に応じて、適宜より実用的な設計をなすことができる。
【００３９】
以上、本発明につき好適な形態例を挙げて種々説明してきたが、本発明はこの形態例に限定されるものではなく、本発明の精神を逸脱しない範囲内で多くの改変を施し得るのは勿諭のことである。
【００４０】
本発明に係るスチームクリーナーヘッドＡの使用方法について述べると、以下のとおりである。
まず、本発明に係るスチームクリーナーヘッドＡを先端に取り付けたスチームクリーナーＢを用いて被清掃面（床面）を清掃するにあたり、スチームクリーナーヘッドＡを前後方向に押し引きする。
このときスチーム入口５から導入され、スチームルーム４に噴出（放出）されたスチーム（蒸気）は、床拭きパッド６を通過し、被清掃面（床面）に、スチームによる高温と水分を与え、拭き掃除を行う。
被清掃面（床面）に噴出（放出）され、被清掃面（床面）を清掃した後、スチーム（蒸気）は結露して水（水滴）となり、被清掃面（床面）に水（水滴）として残ることになる。
【００４１】
前記したように、本発明は、このように被清掃面（床面）に最終的に水（水滴）となって残るスチーム（蒸気）を集め吸引して回収し、もって面倒な空拭き作業を無くすために、工夫を施している。
即ち、スチームクリーナーヘッドＡを前後方向に押し引きすると、被清掃面（床面）との摩擦にて、走行車輪７（前側走行車輪と後ろ側走行車輪）が押し引きする方向と同じ方向に回転する。
スチームクリーナーヘッドＡを「前方へ押した場合」には、走行車輪７が前回りに回転し、これに同軸で回転する歯車７１が一緒に前回りに回転する。歯車７１が前回りに回転すると、これに噛み合っている、トルクリミッター８１付きの歯車８が、歯車７１の回転方向（即ち、走行方向）とは反対の方向に、つまり後ろ回りに回転することになる。
すると、トルクリミッター８１付きの歯車８の中心軸に固定されていることから、薄片９は、トルクリミッター８１付きの歯車８の回転方向と同じ方向、つまり後ろ回りに回動（運動）することになる。
従って、スチームクリーナーヘッドＡを前方へ押し、被清掃面（床面）を清掃しようとすると、トルクリミッター８１付きの歯車８の中心軸に固定されていることから、薄片９が後ろ回りに回動（運動）し、これと共に、薄片９から延設され、後ろ側の空隙Ｄ内に備えられている後ろ側（即ち、手前側）のスチーム掻き取り用部材１１が、トルクリミッター８１付きの歯車８の中心軸を支点として、下降し、これにつれて後ろ側のスチーム掻き取り用部材１１の下側に設けられている後ろ側（即ち、手前側）のスキージ１２が下降することになる。
【００４２】
スチームクリーナーヘッドＡを「後方へ引いた場合」は、「前方へ押した場合」の動きの逆になる。
従って、スチームクリーナーヘッドＡを後方へ引いて、被清掃面（床面）を清掃しようとすると、トルクリミッター８１付きの歯車８の中心軸に固定されていることから、薄片９が前回りに回動（運動）し、これと共に、薄片９から延設され、前側の空隙Ｄ内に備えられている前側（即ち、奥側）のスチーム掻き取り用部材１１が、トルクリミッター８１付きの歯車８の中心軸を支点として、下降し、これにつれて前側のスチーム掻き取り用部材１１の下側に設けられている前側（即ち、奥側）のスキージ１２が下降することになる。
【００４３】
このようにして、被清掃面（床面）に噴出（放出）され、被清掃面（床面）を清掃した後、結露して被清掃面（床面）に残る水を、下降したスキージ１２により、かき集めることができる。
そして、スキージ１２により、かき集められた水は、吸引口１４を通じて被清掃面（床面）から吸引し、これにより被清掃面（床面）を乾いた状態で仕上げることができる。
【００４４】
なお、走行車輪７やスキージ１２に過負荷がかかった場合、その過負荷は、掻き取り用部材１０又は１１−左右１対の薄片９−歯車８−トルクリミッター８１と順に伝わり、このトルクリミッター８１にて接続（動力伝達）を遮断することができる。従って、走行車輪７やスキージ１２に過負荷がかかったときには、トルクリミッター８１により歯車８は空回りすることになる。
このため、車輪７やスキージ１２は、常に一定範囲の圧力で被清掃面（床面）に押し付けられることになる。
【産業上の利用可能性】
【００４５】
本発明に係るスチームクリーナーヘッドは、スチームを噴出しながら被清掃面（床面）を清掃した際に、被清掃面（床面）を湿らせた（濡らした）ままとしておくことがなく、噴出させた後に被清掃面（床面）に水（水滴）となって残留するスチーム（蒸気）を集め吸引して回収し、面倒な空拭き作業を無くすことができることから、スチームクリーナーの普及に貢献することが期待される。
【符号の説明】
【００４６】
Ａ  スチームクリーナーヘッド
Ｂ  スチームクリーナー
Ｃ  前側の空隙
Ｄ  後側の空隙
１  内箱
２  外箱
３  仕切り壁
３１  弾性体
４  スチームルーム
５  スチーム入口
６  床拭きパッド
７  走行車輪
７１  走行車輪に備えられている歯車
８  歯車
８１  トルクリミッター
９  薄片
１０  前側のスチーム掻き取り用部材
１１  後側のスチーム掻き取り用部材
１２  スキージ
１３  吸引孔
１４  吸引口
１５  水（水滴）
１００  走行車輪の支持留め部
１０１  トルクリミッター付きの歯車の支持留め部
【図１】
0006524404.tif 000002
【図２】
0006524404.tif 000003
【図３】
0006524404.tif 000004
【図４】
0006524404.tif 000005
【図５】
0006524404.tif 000006
【図６】
0006524404.tif 000007
【図７】
0006524404.tif 000008
【図８】
0006524404.tif 000009
【図９】
0006524404.tif 000010
【図１０】
0006524404.tif 000011
【図１１】
0006524404.tif 000012
【図１２】
0006524404.tif 000013